(57)【要約】      （修正有）【課題】作業者の腰ベルトに装着されて使用される工具ホルダにおいて、工具を安定的に保持でき、収納と取り出しが迅速に行える工具ホルダを提供すること。【解決手段】座ホルダ本体と、このホルダ本体に設けられた工具握り部の保持部と、この工具ホルダ本体に開閉自在に設けられた保持カバーと、この保持カバーに設けられた前記工具握り部のストッパーとを有するもの。【選択図】      図１
2004202670.tif 000002
【特許請求の範囲】
【請求項１】
作業者の腰ベルトに装着されて使用される工具ホルダにおいて、
ホルダ本体と、このホルダ本体に設けられた工具握り部の保持部と、この工具ホルダ本体に開閉自在に設けられた保持カバーと、この保持カバーに設けられた前記工具握り部のストッパーとを有している工具ホルダ。
【請求項２】
前記請求項１記載の工具ホルダにおいて、
ホルダ本体に設けられた工具握り部の保持部は、握り部寸法と略同一間隔で設けられた少なくとも上端保持部と下端保持部とを有している工具ホルダ。
【請求項３】
前記請求項１記載の工具ホルダにおいて、
ホルダ本体はステンレス板から構成され、垂直部と水平部を持ち、水平部に上端保持部と下端保持部とを具備し、水平部にストッパーを有する保持カバーをバネ付き蝶番によって開閉自在に設けたものである工具ホルダ。
【請求項４】
前記請求項１記載の工具ホルダにおいて、
ホルダ本体及び保持カバーをプラスチックで形成した工具ホルダ。
【発明の詳細な説明】
【０００１】
【発明の属する技術分野】
本発明は工具ホルダに関し、腰ベルトに取り付けて使用するのに好適な工具ホルダに関するものである。
【０００２】
【従来の技術】
【特許文献１】実開平６−３１９７８号公報
従来から腰ベルトに装着されて電動ドライバ等の工具を保持するホルダは、袋状のものと、本公報記載のような金具状のもの等が存在しているが、いずれも安全で使い勝っての良いものではなかった。
【０００３】
【発明が解決しようとする課題】
前者の袋状ホルダは作業者の体から離れブラブラしており、作業者が足場を移動する毎にホルダが足場の横パイプや縦パイプに引っかかり、ホルダが逆さになって工具が落下する等の事故を生じていた。
【０００４】
工具が落下すると、工具が破損し使用できなくなることは元より、人間を死傷させるという重大な事故が発生する。これを防止するためには袋状ホルダの上口に蓋を設けるか、あるいは上口を紐で縛り塞ぐ等の手段を講じなければならない。
【０００５】
しかし、蓋を設けたり紐で縛るようにすれば、工具を取り出して使用する毎に蓋を外したり、紐を解いたりしなければならず、作業性の悪いものとなってしまう。建築現場等では頻繁に工具を収納したり、取り出したりしなければならないので、作業性の低下は作業時間の大幅な増大と工事価格アップになる。
【０００６】
一方、後者の金具状のホルダとして上記公開公報に記載されたものがある。
【０００７】
この公報には、電動工具２の後方端部を、自在バンドによってホルダ１０に取付け、ホルダ１０を腰ベルト１に着脱自在に装着するようにされた電動工具用ホルダの考案が記載されている。
【０００８】
しかしながら、この考案は、電動工具の後端を自在ベルトとホルダで保持するものであるため、安定的に保持できないものである。
【０００９】
すなわち、最近の電動工具は駆動源として重い電池を使うものが多く、この電池が握り部の下端に設けられた全体Ｔ字型となっているため（図４参照）、この公報記載のように自在バンド２０一箇所で保持することは不安定極まりないのである。
【００１０】
また、腰ベルトも布や皮で製造されており、可撓性を有していることを勘案しても工具がふらつくことは容易に理解できよう。
【００１１】
工具を安定に保持できないと前述のように落下事故は免れないものである。
【００１２】
本発明はこれらの課題に着目し、工具を安定的に保持でき、収納と取り出しが迅速に行える工具ホルダを提供することを目的としてなされたものである。
【００１３】
【課題を解決するための手段】
前記目的は、作業者の腰ベルトに装着されて使用される工具ホルダにおいて、ホルダ本体と、このホルダ本体に設けられた工具握り部の保持部と、この工具ホルダ本体に開閉自在に設けられた保持カバーと、この保持カバーに設けられた前記工具握り部のストッパーとを設けることによって達成される。
【００１４】
【発明の実施の形態】
以下本発明の一実施の形態を図に基づき説明する。
【００１５】
図において、１は作業者が装着する腰ベルトで、皮や布で製作されている。Ｈはホルダで、腰ベルト１に装着されるＬ字状のホルダ本体２と、このホルダ本体２に開閉自在に設けられる保持カバー３から大構成される。
【００１６】
更に詳しく説明すると、ホルダ本体２は、所定の幅寸法、具体的には掌の幅と略同等の幅を持つ薄いステンレス板で構成され、作業者の腰に密着する垂直部２１と、この垂直部２１の下端から横方向に折り曲げられた水平部２２とを有している。２３は垂直部２１の上端に折り曲げて形成した偏平環状部であり、この偏平環状部２３に腰ベルト１を通してホルダＨを腰に装着するようになっている。
【００１７】
水平部２２には、電動工具Ｔの握り部の上部を受ける上部保持部２４と、同じく握り部の下部を受ける下部保持部２５とを設けている。これらの保持部２４、２５は比較的硬い番線を折曲げて電動工具Ｔの握り部を安定的保持できるように上方にいくに従って相互に開く形状にし、それぞれが水平部２２の下面に溶接等で接着されている。
【００１８】
また、上部保持部２４の縦寸法は、電動工具Ｔの握り部を保持したとき、握り部に設けられているスイッチＳＷが作動しないように考慮されている。下部保持部２５は重い電池を保持するため衝撃的な荷重が加わっても変形しないように補強ステー２６が設けられている。
【００１９】
また、保持部２４、２５の間隔はできるだけ握り部の長さに合わせるのがよく、これによって工具の図３上で左右の動きが規制され、安定的に工具を保持することが可能になる。
【００２０】
前記実施形態でホルダ本体２はステンレス板で構成したが、プラスチックで構成することができる。プラスチックで構成すれば保持部２４、２５まで含めて一体で構成することができ、量産性に好適なものと考えられる。
【００２１】
前記保持カバー３はホルダ本体２の水平部２２の端辺にバネ付き蝶番３１によって開閉自在に設けられている。保持カバー３は比較的硬い番線を図示のように折り曲げ形成し、上部に一対のストッパー部３２と上端に掌の甲当て部３３を形成している。ストッパー部３２は少なくとも水平あるいは保持カバー３の垂直部に対して直角未満にするか、あるいは工具の握り部の形状にあわせて上方に凸形状にするのが安定的に保持する上で望ましい。この方が工具の逸脱、落下防止に機能する。
【００２２】
蝶番３１のバネは、甲当て部３３をホルダ本体２の垂直部２１側に軽く押しつけるように作用させて、垂直部２１と甲当て部３３間の間隔を掌の厚さと同等か、これよりやや大きな間隔に保持させるようにしてあり、掌をこの間隔に上方から入れ易くするように考慮されている。この保持カバー３もプラスチックで形成することが可能であり、このようにすれば前述同様多量生産に好適である。
【００２３】
本発明の工具ホルダは前述のように構成されているので、上方から工具を工具ホルダに収納すると、その過程で工具を握っている手の甲が、保持カバー３の甲当て部３３を図２のように外側に押広げるので工具はスムースに保持部２４、２５に保持される。
【００２４】
手を上方に抜けば保持カバー３が蝶番３１のバネによって図１の状態に戻るため、ストッパー３２は工具の握り部の上方に位置し、工具が工具ホルダＨから抜け落ちることがない。このとき電動工具は保持部２４、２５で２点支持されるので安定的に水平保持される。
【００２５】
これは工具の図３上左右の移動は保持部２４、２５で規制され、上下の移動は同じく保持部２４、２５と保持カバー３のストッパー３２で規制されることから明らかであろう。ストッパー３２は工具の握り部に可及的近接させることが安定的に保持する上で好ましいものである。
【００２６】
次に取り出す場合も同様に、手の甲で保持カバー３の甲当て部３３を図２のように外側に押広げることができるので、スムースに工具を取り出すことができる。
【００２７】
このようにして工具の収納と取り出しを極めて迅速に行うことができ、作業時間の大幅な短縮を図ることができ、産業の発達に寄与すること明白である。
【００２８】
【発明の効果】
以上述べたように本発明は、作業者の腰ベルトに装着されて使用される工具ホルダにおいて、ホルダ本体と、このホルダ本体に設けられた工具握り部の保持部と、この工具ホルダ本体に開閉自在に設けられた保持カバーと、この保持カバーに設けられた前記工具握り部のストッパーとを設けたので、工具を安定的に保持でき、収納と取り出しが迅速に行える工具ホルダを提供することができたものである。
【００２９】
なお、前述のホルダ本体や保持カバーはプラスチックでも構成することができ、本発明の技術的範囲は一実施形態に限定されるものではなく、特許請求の範囲内において種々の応用例、変形例が考えられ、これらを包含することは当然である。
【図面の簡単な説明】
【図１】本発明の一実施例形態を示す斜面図。
【図２】同上の保持カバーが開かれたときの斜面図。
【図３】同上の工具ホルダで工具を保持した状態図。
【符号の説明】
１…腰ベルト        ２…工具ホルダ本体      ３…保持カバー
２１…垂直部        ２２…水平部            ２３…偏平環状部
２４…上部保持部    ２５…下部保持部        ３１…バネ付き蝶番
３２…ストッパー    ３３…甲当て部
【図１】
2004202670.tif 000003
【図２】
2004202670.tif 000004
【図３】
2004202670.tif 000005